(57)【要約】【課題】上肢障害、高齢者、機械作業に弱い人などにより電子書籍の複数のボタン操作を行うことが不可能または困難な人などは電子書籍のページめくりなどの操作を行うことが困難であった。  例えば、複数のボタンがあることで操作に混乱を招き純粋に読むことに集中できなかった。【解決手段】表示画面と操作部を備えた電子書籍と、本体と少なくとも１つの入力スイッチから構成され、前記電子書籍の操作を入力スイッチのみで行うことを特徴とする電子書籍コントローラ。【選択図】図１
2006113641.tif 000002
【特許請求の範囲】
【請求項１】
表示画面と操作部を備えた電子書籍と、本体と少なくとも１つの入力スイッチから構成され、前記電子書籍の操作を前記入力スイッチのみで行うことを特徴とする電子書籍の簡易操作コントローラ。
【請求項２】
前記電子書籍と前記電子書籍の簡易操作コントローラは、有線方式または無線方式で情報の送受信を行うことを特徴とする請求項１記載の電子書籍の簡易操作コントローラ。
【請求項３】
前記入力スイッチを押した時に前記電子書籍のコントローラから前記電子書籍に送信する信号は、前記入力スイッチを押した時のタイミングおよび／または押し続ける時間によって異なる信号であることを特徴とする請求項２記載の電子書籍の簡易操作コントローラ。
【請求項４】
前記電子書籍の簡易操作コントローラは、複数の点灯部を備え、第一回目の前記入力スイッチを押す操作で、一定時間毎に点灯する前記点灯部が順番に切り替わる動作を開始し、第二目の前記入力スイッチを押す操作でその時点で点灯しているランプに対応した信号を前記電子書籍に送信することを特徴とする請求項３の記載の電子書籍の簡易操作コントローラ。
【請求項５】
前記電子書籍の簡易操作コントローラは、音声発生部を備え、第一回目の前記入力スイッチを押す操作で、前記音声発生部から一定時間毎に操作項目に対応した音声ガイドが流れ、第二回目の前記入力スイッチを押す操作でその時点で示された音声に対応した信号を前記電子書籍に送信することを特徴とする請求項３記載の電子書籍の簡易操作コントローラ。
【請求項６】
前記電子書籍の簡易操作コントローラは操作項目表示部を備え、第一回目の前記入力スイッチを押す操作で、前記操作項目表示部は一定時間毎に操作項目を表示し、第二回目の前記入力スイッチを押す操作に表示された操作項目に対応した信号を前記電子書籍に送信することを特徴とする請求項３記載の電子書籍の簡易操作コントローラ。
【請求項７】
前記ランプ、前記音声、前記操作項目表示部の示す操作項目の少なくとも一つは前記表示画面を次のページへ移動させる項目に対応していることを特徴とする請求項１から請求項６までのいずれか記載の電子書籍の簡易操作コントローラ。
【請求項８】
前記ランプ、前記音声、前記操作項目表示部の示す操作項目の少なくとも一つは表示画面を前のページへ移動させる項目に対応していることを特徴とする請求項１から請求項７までのいずれか記載の電子書籍の簡易操作コントローラ。
【請求項９】
前記ランプ、前記音声、前記操作項目表示部の示す操作項目の切り替わる間隔は変更可能であることを特徴とする請求項１から請求項８までのいずれか記載の電子書籍の簡易操作コントローラ。
【請求項１０】
前記入力スイッチはケーブルを介して前記電子書籍の簡易操作コントローラと接続されていることを特徴とする請求項１から請求項９までのいずれか記載の電子書籍の簡易操作コントローラ。
【請求項１１】
前記入力スイッチと前記電子書籍の簡易操作コントローラの接続は、前記入力スイッチから出されたΦ３．５ｍｍのモノラルミニケーブルプラグと前記電子書籍のコントローラ本体に備えられたΦ３．５ｍｍのモノラルミニケーブルプラグ差込口であることを特徴とする請求項１から請求項１０までのいずれか記載の電子書籍の簡易操作コントローラ。
【請求項１２】
前記ランプ、前記音声、前記操作項目表示部の示す操作項目は、毎回同じ項目から開始することを特徴とする請求項１から請求項１１までのいずれか記載の電子書籍の簡易操作コントローラ。
【請求項１３】
前記ランプ、前記音声、前記操作項目表示部の示す操作項目は、前回の操作で選択された項目から開始することを特徴とする請求項１から請求項１１までのいずれか記載の電子書籍の簡易操作コントローラ。
【発明の詳細な説明】
【技術分野】
【０００１】
本発明は電子書籍の操作を単純な手順で実現する簡易操作コントローラに関するものである。
【背景技術】
【０００２】
従来、書籍を読むといった行動では紙に印刷された活字を束ねた書籍が当然のもので、順次ページをめくって行うものであった。近年、この書籍を読むという行動に対してもデジタル化がすすみ、最近では液晶画面に書籍の活字面が表現され、一定の操作により液晶画面の表示を切り替えてページをめくる行為を代替する電子書籍が現れた。
【０００３】
図５に従来の電子書籍の代表例を示す。電子書籍１は液晶画面２に小説、漫画などの文字やイラストが紙の書籍と同様に描かれており、紙の書籍を読むのと同様の動作で複数の書籍を記憶媒体などに記憶させいつでも好きな本の好きなページから読書を行うことができるものである。
【０００４】
図５において従来の電子書籍は電子書籍本体１、液晶表示画面２、操作ボタン群３をそれぞれ示す。
【０００５】
操作ボタン群３は５個のボタン１１〜１５から構成され、１１は左ページめくりボタン、１２は設定選択ボタン、１３は設定決定ボタン、１４はしおりボタン、１５は右ページめくりスイッチ、１６をそれぞれ示す。
【０００６】
左ページめくりボタン１１は液晶画面２に表示されたページを左の次ページへめくる操作を、右ページめくりボタン１５は液晶画面２に表示されたページを右の次ページへめくる操作を行う。設定選択ボタン１２を押すと書籍の選択、画面の明るさ、コントラスト等の設定等を選択する画面に切り替わり、さらに押し続けることで選択項目を次項目へ切り替える。設定決定ボタン１３を押すと選択項目を選択することを決定し書籍の選択、画面の設定を決定したり、書籍のページを開いている際にはその時点のページにしおりを挟む設定を行う。しおり設定ボタン１４はその時点で設定されているしおりを挟んでいるページを開く動作を行う。
【０００７】
これら５つのスイッチを操作することで、読書を行う書籍の選択・決定、ページめくりなど、読書を行うに必要かつ十分な機能を満たすことができるものである。
【発明の開示】
【発明が解決しようとする課題】
【０００８】
しかしながら、従来の実施例に示すように複数のスイッチ（従来の実施例ではスイッチ３〜７の５個のスイッチ）は電子書籍本体１の液晶表示画面２の周辺に配置されており、通常は指で押して操作するものであった。そのため、身体障害者や高齢者、さらに機械操作に弱い人々には、複数のボタンがあることで操作に混乱を招いてしまい、本来純粋に「読む」ことに集中することのできる読書と言う行為に、機械操作というわずらわしさを発生させることとなった。また、特に上肢障害を持つ障害者は指が不自由であるためにやはり電子書籍本体１に配せられた複数のボタンを押すと言う行為そのものが不可能であるため、小型軽量で利便性の高い電子書籍であっても、上肢障害者にとってはそのインターフェースが必ずしも使えるものになっていなかった。
【０００９】
本発明はこのような従来の課題を解決するものであり、上肢障害を持つ障害者や体の不自由な人々が簡単に電子書籍を操作することの出来る電子書籍コントローラを提供することを目的とする。
【課題を解決するための手段】
【００１０】
表示画面と操作部を備えた電子書籍と本体と少なくとも１つの入力スイッチから構成され、前記電子書籍の操作を前記入力スイッチのみで行うことを特徴とする電子書籍の簡易操作コントローラであって、体の一部動かす部位（足、ほほなど）を用いて入力スイッチを押すことで簡易操作コントローラを通じて電子書籍の操作ボタンを押すことに相当する行為を行い、電子書籍のページをめくる他の動作を行うことで実現する。
【発明の効果】
【００１１】
本発明は、上肢が不自由で書籍のページを自分でめくって読書を行うという行為が出来ない障害を持つ人などでも自分の体の一部でスイッチを押す行為を繰り返すことだけで読書を実現出来るという効果を奏する。
【発明を実施するための最良の形態】
【００１２】
図１に本実施の形態の第1の実施例を示す。
【００１３】
図１は本実施の形態における電子書籍とその簡易操作コントローラ全体を示す図である。図１において１は電子書籍を、２は液晶表示画面を、３は電子書籍１の操作ボタン群を、４は簡易操作コントローラを、５はLEDランプ群を、６は入力スイッチを、７は電子書籍１と簡易操作コントローラ４をつなぐ通信ケーブルを、８は簡易操作コントローラ４と入力スイッチ６を接続する信号ケーブルを、９は入力スイッチ差込口を、１０はスキャン速度調整ボリュームそれぞれ示す。
【００１４】
入力スイッチ６は信号ケーブル８を通じて入力スイッチ差込口９から入力スイッチ６の信号を簡易操作コントローラ４へ信号を入力し、簡易操作コントローラ４は処理された通信信号を通信ケーブル７を通じて電子書籍１へ送信している。
【００１５】
図２は操作ボタン群３およびＬＥＤランプ群５におけるボタンおよびＬＥＤランプを示す図である。図２において１１〜１５は操作ボタン群を示し、１１は左ページめくりボタン、１２は設定選択ボタン、１３は設定決定ボタン、１４はしおりボタン、１５は右ページめくりスイッチ、１６は左ページめくりＬＥＤ、１７は設定選択ＬＥＤ、１８は設定決定ＬＥＤ、１９はしおりＬＥＤ、２０は右ページめくりＬＥＤをそれぞれ示す。
ここで、電子書籍１の１１〜１５の各ボタンを押した際に示す動作は従来の実施の形態に示す動作に等しいのでここでは省略する。
図３は簡易操作コントローラ４の５個のLEDの動きと簡易操作コントローラ４から電子書籍１へ信号を発信するまでの動きを示すフローチャートである。
【００１６】
図３において、あらかじめコントローラ１内部ではスキャン繰り返し設定回数Nおよびスキャン速度調整ボリューム１０により設定されたスキャン間隔Ｔが設定されている。ここで、入力スイッチ６を一度押すと（入力スイッチ６を押して離したときに）［１１］、繰り返し回数ｎ＝１が記憶され、その後、左めくりＬＥＤ１６が時間Ｔの間点灯状態を保持する［２１］。時間Ｔの後、設定選択ＬＥＤ１７が点灯を保持し［３１］、その後同様に設定決定LED１８、しおりLED１９、右ページめくりLED２０が順次時間Ｔの間隔で点灯する［４１］「５１」［６１］。
【００１７】
左ページめくりＬＥＤ１６が点灯しているとき［２１］に入力スイッチ６を押すと、簡易操作コントローラは左ページめくりを行う指令に相当する信号を通信ケーブル７を通じて電子書籍１へ送信する［２２］。同様に設定選択ＬＥＤ１７が点灯しているとき［３１］に入力スイッチ６を押すと、簡易操作コントローラ４は設定選択を行う指令に相当する信号を［３２］、設定決定ＬＥＤ１８が点灯しているとき［４１］に入力スイッチ６を押すと、簡易操作コントローラ４は設定決定を行う指令に相当する信号を［４２］、しおりＬＥＤ１９が点灯しているとき［５１］に入力スイッチ６を押すと、簡易操作コントローラ４はしおり設定を行う指令に相当する信号を［５２］、右ページめくりＬＥＤ２０が点灯しているとき［６１］に入力スイッチ６を押すと、簡易操作コントローラ４は右ページめくりを行う指令に相当する信号を［６２］、それぞれ通信ケーブル７を通じて電子書籍１へ送信する。
【００１８】
これら２１〜６１の操作を時間Ｔ毎に行った後、繰り返し回数ｎとスキャン繰り返し設定数Ｎを比較し［７１］、ｎ＜Ｎであれば、ｎ＝ｎ＋１として［８１］、再度［２１］から左ページめくりＬＥＤ１６の点灯を行う。一方ｎ＞＝Ｎであれば、各ＬＥＤのスキャンを設定回数Ｎだけ繰り返したと判断し、スキャンの点灯を終了する［９１］。
図４は簡易操作コントローラ４の内部の回路の流れを示す。
【００１９】
内部回路は制御部２１、ＬＥＤ点灯コントローラ２２、信号出力部２３から構成され、
入力スイッチ６から通信ケーブル８を通じて信号を入力された制御部２１はＬＥＤ点灯コントローラ２２へＬＥＤ点灯指令を送信する。ＬＥＤ点灯指令を受けたＬＥＤ点灯コントローラ２２は１６〜２０の各ＬＥＤを一定時間Ｔ毎にＮ回だけ繰り返し点灯する。一方その間に再び制御部２１は入力スイッチ７からの信号を受けるとＬＥＤコントローラがそのときに点灯しているＬＥＤのパターンに対応した信号を送る命令を信号出力部２３へ送信し、信号出力部２３は通信ケーブル７を通じて電子書籍１内のコントローラ（図示せず）へスイッチ１１〜１５を押した際の信号を入力する。
以下、第１の実施例において簡易操作コントローラ９を介して１つの入力スイッチ１１を用いて電子書籍１を操作する際の動作を示す。
【００２０】
入力スイッチ６を一度押して信号を簡易操作コントローラ４へ送信すると、あらかじめ設定された時間Ｔ毎に１６〜２０の各ＬＥＤが順番に点灯を行う。
【００２１】
このとき左ページめくりＬＥＤ１６が点灯しているときに入力スイッチ４を押すと、簡易操作コントローラ４から通信ケーブル７を通じて電子書籍１へ左めくりボタン１１を押した際に電子書籍１内部で発生する信号に相当する信号を入力し、電子書籍１は表示している書籍のページを左方向へ１ページめくることになる。
【００２２】
同様に、設定変更ＬＥＤ１７、設定決定ＬＥＤ１８、しおりＬＥＤ１９、右ページめくりＬＥＤ２０がそれぞれ点灯している際に入力スイッチ４を押すと、設定変更ボタン１２、設定決定ボタン１３、しおり設定ボタン１４、右ページめくりボタン１５をそれぞれ押した際に電子書籍１内部で発生する信号に相当する信号を入力し、電子書籍１はそれぞれ対応した動作を行う。
【００２３】
以上の操作によりたった一つの入力スイッチ６を、タイミングを合わせて押す操作を繰り返し行うだけで、電子書籍１の１１〜１５の複数のスイッチを押すことで得られる電子書籍１のすべての操作を行うことができる。
なお、本実施の形態では電子書籍１と簡易操作コントローラ４および簡易操作コントローラ４と入力スイッチ６の間の信号の伝達手段として有線による伝達を行ったがこれに限るものではなく、赤外線、ブルートゥースなどの無線方式による伝達手段を用いても構わない。
【００２４】
また、本実施の形態では入力スイッチ６を押して離す時に点灯しているＬＥＤのタイミングのみで簡易操作コントローラ４を通じて電子書籍１の操作を実現したが、これに限るものではなく、たとえば、右ページめくりＬＥＤ２０が点灯しているときに入力スイッチ６をあらかじめ設定された時間だけ押し続けることで右ページめくりを１０回選択したこととみなし、ページを１０ページめくる操作を行うとか、いかなるときでも入力スイッチ６をあらかじめ設定された時間だけ押し続けることで簡易操作コントローラ４内部に別途設けられた呼出ブザーを鳴らすなど、入力スイッチ６を押すタイミングや押し続ける時間に応じて別の動作を行っても構わない。
【００２５】
また、本実施の形態ではただひとつの入力スイッチ６のみでの電子書籍１の操作を実現したが、これに限るものではなく、たとえば第１の入力スイッチおよび第３の入力スイッチの２つの入力スイッチを備え、第１の入力スイッチを押す毎に１６〜２０のＬＥＤの点灯が順次移動を行い、１６〜２０のいずれかのＬＥＤが点灯している際に第２の入力スイッチを押すことでその際点灯しているＬＥＤに対応した信号を送信する決定を行うなどの役割を持たせても構わない。
【００２６】
また、本実施の形態では１１〜１５の各ボタンに対応したＬＥＤを簡易操作コントローラ４に備えたがこれに限るものではなく、たとえば１１〜１５の各ボタンに対応して一定時間ごとに１１〜１５の各ボタンの「左ページめくり」「設定選択」・・・「右ページめくり」の機能を読み上げその音声が発せられている際にタイミングを合わせて入力ボタン６を押すことで操作項目を選択するとか、操作内容を表示する画面を備え、同様に一定時間ごとに画面に操作項目を表示し、操作したい項目が前期画面に表示されている際に入力スイッチ６を押すことで操作項目を選択・決定するなどの方法を取っても構わない。
【００２７】
また、本実施の形態では簡易操作コントローラ４は電子書籍１のすべてのボタンを押す動作を行う信号を電子書籍１に伝達することが可能としたが、これに限定するものではなく、電子書籍のページを次ページへめくるまたは前ページへ戻すボタンに相当する信号のいずれか片方または両方のボタンを押す信号のみを伝達することが可能であってもかまわないし、電子書籍１の複数のボタンを同時に押すことに相当する信号を伝達しても構わない。
【００２８】
また、本実施の形態では電子書籍１と簡易操作コントローラ４の有線による接続方法として特に指定をしていないが、たとえばＲＳ２３２Ｃ、ＵＳＢなどの規格による接続が考えられる。
【００２９】
また本実施の形態では簡易操作コントローラ４と入力スイッチ６の接続を行う入力スイッチ差込部口９の形状を特に指定していないが、φ３．５ｍｍのモノラルミニケーブルプラグを用いて接続することが望ましい。
【００３０】
また本実施の形態では入力スイッチ６を押した際のＬＥＤランプ群５における点灯する順番は、操作する際にわかりやすいことから毎回同じ項目から点灯する例を示したが、これに限るものではない。例えば基本的に次ページへめくる動作を連続することが多いことから次のページへ送る信号を送信するＬＥＤ（左開きの書籍であれば左ページめくりＬＥＤ１６）を毎回最初に点灯させても構わないし、前回の動作で選択されたＬＥＤを最初に点灯させても構わない。
【産業上の利用可能性】
【００３１】
本発明の電子書籍の簡易操作コントローラは特に障害者や高齢者など上肢障害や指の細かい操作の出来ない人々に電子書籍を簡単に操作するためのアダプターとして利用することが可能である。
【図面の簡単な説明】
【００３２】
【図１】本実施の形態における電子書籍および電子書籍の簡易操作コントローラの全体図
【図２】本実施の形態における電子書籍および電子書籍の簡易操作コントローラのボタン及びＬＥＤを示す図
【図３】本実施の形態における電子書籍の簡易操作コントローラの操作におけるフローチャート
【図４】本実施の形態における電子書籍の簡易操作コントローラにおける信号の流れを示す図
【図５】従来の実施例における電子書籍の構成を示す図
【符号の説明】
【００３３】
１    電子書籍
２      液晶表示画面
３      操作ボタン群
４      簡易操作コントローラ
５      ＬＥＤランプ群
６      入力スイッチ
７      通信ケーブル
８      信号ケーブル
９      入力スイッチ差込口
１０    スキャン速度調整ボリューム
１１    左ページめくりボタン
１２    設定選択ボタン
１３    設定決定ボタン
１４    しおりボタン
１５    右ページめくりボタン
１６    左ページめくりＬＥＤ
１７    設定選択ＬＥＤ
１８    設定決定ＬＥＤ
１９    しおり設定LED
２０    右ページめくりＬＥＤ
２１    制御部
２２    ＬＥＤ点灯コントローラ
２３    信号出力部
【図１】
2006113641.tif 000003
【図２】
2006113641.tif 000004
【図３】
2006113641.tif 000005
【図４】
2006113641.tif 000006
【図５】
2006113641.tif 000007